(57)【要約】  【課題】  コンテンツ提供側で、ユーザ側のライセンスの利用状態を設定できるようにする。  【解決手段】  利用装置の記録媒体（ＨＤＤ）１０４に記録したコンテンツに対して発行されるライセンスに、利用条件として、ライセンスを利用機器のコンテンツを記録する記録媒体（ＨＤＤ）１０４に記録させてコンテンツを利用させる利用形態と、ライセンスを利用機器の可搬型記憶媒体１０８に記憶させてコンテンツを利用させる利用形態と、コンテンツの利用の都度ライセンスを入手する利用形態のいずれかを設定する情報を含ませ、利用装置側で、ライセンスの内容を解析して、いずれかの利用状態に設定するように構成した。  【選択図】図９
2006072504.tif 000002
【特許請求の範囲】
【請求項１】
サーバーに蓄積されたコンテンツを、ライセンスを付してユーザに提供し、ユーザが前
記コンテンツを利用機器の記録媒体に記録すると共に、取得したライセンスに基づいて前
記記録したコンテンツを利用するサーバー型コンテンツ提供システムにおいて、
前記ライセンスが、当該ライセンスを利用機器の前記記録媒体に記録させるか、可搬型
記憶媒体に記憶させるかあるいは利用機器には記録させないかの利用条件を示す情報を含
むことを特徴とするサーバー型コンテンツ提供システム。
【請求項２】
サーバーに蓄積されたコンテンツを、ライセンスを付してユーザに提供し、ユーザが前
記コンテンツを利用機器の記録媒体に記録すると共に、取得したライセンスに基づいて前
記記録したコンテンツを利用するサーバー型コンテンツ提供システムのライセンス管理方
法において、
前記ライセンスが、当該ライセンスを利用機器の前記記録媒体に記録させるか、可搬型
記憶媒体に記憶させるかあるいは利用機器には記録させないかの利用条件を示す情報を含
み、当該情報に基づいて利用機器におけるライセンスを管理することを特徴とするサーバ
ー型コンテンツ提供システムのライセンス管理方法。
【請求項３】
前記ライセンスが、当該ライセンスを利用機器の前記記録媒体に記録させるかあるいは
可搬型記憶媒体に記憶させるかのいずれをも許容する情報を含むことを特徴とする請求項
２に記載のサーバー型コンテンツ提供システムのライセンス管理方法。
【請求項４】
サーバーに蓄積されたコンテンツを、ライセンスを付して提供を受け、当該コンテンツ
を記録媒体に記録すると共に、前記取得したライセンスに基づいて前記記録したコンテン
ツを利用するコンテンツ利用装置において、
可搬型記憶媒体と、
前記取得したライセンスを解析して、前記取得したライセンスを前記記録媒体に記録さ
せ、記録した当該ライセンスに基づいて前記コンテンツを利用する第１の利用形態か、前
記取得したライセンスを前記可搬型記憶媒体に記憶させ、記憶した当該ライセンスに基づ
いて前記コンテンツを利用する第２の利用形態か、または前記ライセンスを前記コンテン
ツの利用の都度前記サーバーから入手する第３の利用形態のいずれか１つを実行させる制
御手段と、
を具備したことを特徴とするコンテンツ利用装置。
【請求項５】
ライセンスが、当該ライセンスを利用機器の前記記録媒体に記録させるかあるいは可搬
型記憶媒体に記憶させるかのいずれをも許容する情報を含み、前記制御手段がそれら利用
条件のいずれかを選択するものであることを特徴とする請求項４に記載のコンテンツ利用
装置。
【発明の詳細な説明】
【技術分野】
【０００１】
本発明は、ネットワークに接続された外部のサーバーから提供されるコンテンツを取得
してそれを利用する、いわゆるサーバー型コンテンツ提供システム及び当該システムにお
けるライセンス管理方法に関する。また、本発明は、そのライセンス管理方法によってコ
ントロールされ、当該サーバー型コンテンツ提供システムからコンテンツの提供を受ける
コンテンツ利用装置に関する。
【背景技術】
【０００２】
サーバー型放送サービスは、通常、サービスを受けるユーザがそのサービスを提供する
放送事業者からライセンスを取得することで、その放送を視聴することができるようにシ
ステム化されており、ライセンスの取得によって、放送業者から、コンテンツとライセン
スがユーザに伝送され、ユーザはライセンスに基づいてコンテンツを利用するようになる
。
【０００３】
すなわち、放送事業者から提供されるコンテンツは、通常、暗号化（スクランブル処理
）されており、ユーザは、ライセンスに基づいて暗号を復号（デスクランブル）するため
の鍵を取得して、暗号を解除し、コンテンツを視聴することになる。
【０００４】
放送事業者からユーザに配されるコンテンツをリアルタイムで視聴する場合には、ライ
センスを一時保存し、保存したライセンスに基づいて伝送されるコンテンツのスクランブ
ルを解除する処理を順次実行することになる。
【０００５】
また、ユーザがコンテンツを受信機の記録媒体に一旦記録してから、ライセンスに基づ
いて、そのコンテンツをライセンスで許容される条件内で好みの時間に好みの方法（例え
ば早送り再生等）で利用できるようにした形態も実現されている。
【０００６】
この場合、ライセンスは、コンテンツと共に記録媒体に蓄積されてコンテンツの再生と
一対一に対応して視聴に供されたり、あるいはコンテンツとは異なるＩＣ（Integrated C
ircuit）カード等の可搬型セキュリティモジュールに記憶されてコンテンツの再生処理と
は異なる処理を経て視聴に供される。あるいはまた、ライセンスを保存せずに視聴の都度
サーバーから取得してコンテンツを視聴するという形態もある。
【０００７】
放送事業者としては、ユーザによってライセンスが適正に実行されることが望ましく、
ユーザが視聴する際に、その都度、ネットワークを介してライセンスを付与するようにす
れば、最も厳正にライセンスを管理することが可能であるが、一方でネットワーク網の負
荷が増えるという問題も含んでいる。
【０００８】
また、ライセンスを可搬型セキュリティモジュールに記憶すれば、受信機内部にライセ
ンスが保存されないので、不正コピー等の不正な使用を防ぐことが可能ではあるが、視聴
の都度、ライセンスを取得する方法に比べればライセンス管理の厳正さは弱い。一方で、
ユーザにとってみれば、セキュリティモジュール（ライセンス）を他の機器に移動させる
ことができるので、他の機器でも、例えば視聴中断状態にあるコンテンツを引き続いて視
聴することができるため使い勝手がよくなる。
【０００９】
さらに、ライセンスをコンテンツと共に記録媒体に記録する方法では、不正コピーされ
る虞が高く、ライセンス管理の厳正さはさらに脆弱なものとなってしまう。しかしながら
、その反面、ユーザにとってみれば、コンテンツとライセンスを一体的に扱うことができ
るため、泣き別れがなく、コンテンツを確実に視聴することが可能になるという利点を備
えている。
【００１０】
このように、従来、放送事情者から提供されるコンテンツを一旦受信機の記録媒体に記
録してから、それをライセンスに基づいて視聴しようとする場合に、ライセンスの管理方
法として複数の方法が適用可能であり、それぞれライセンス管理の厳正さに差異を有して
いた。また、他方で、ユーザの使い勝手にもそれぞれ特徴があり、コンテンツ提供事業者
としては、それらを総合的に見て、例えばその内容から、ライセンス管理をさほど厳正に
行う必要がないと判断できるコンテンツについては、ユーザの使い勝手をより考慮した管
理方法を採るようにする等、コンテンツの内容に応じたライセンス管理を行うことが好ま
しいと考えられるが、従来、コンテンツ提供者側で、ライセンスの管理を適応的に実行で
きるようにした提案はなされていない。
【００１１】
例えば、特許文献１には、サービスプロバイダから入手して据置型の機器に記録したコ
ンテンツを携帯型の機器でも利用できるようにした提案がなされているが、ライセンスを
複数の形態で管理する点に関しては記載されていない。
【特許文献１】特開２００３−４４３６０号公報
【発明の開示】
【発明が解決しようとする課題】
【００１２】
以上のように、従来、コンテンツ提供事業者から、提供されるコンテンツを一旦記録媒
体に記録してから、ライセンスに基づいてコンテンツの視聴を行う際に、複数のライセン
ス管理方法が存在し、コンテンツ提供事業者側で、コンテンツの内容に応じて適応的にラ
イセンス管理ができれば、好ましいシステムを構築できるものと考えられるが、従来その
ような提案はなされていなかった。
【００１３】
本発明は、以上の点に対処してなされたものであり、コンテンツを一旦受信機の記録媒
体に記録してからライセンスに基づいてコンテンツを視聴する際に、コンテンツ提供業者
が、コンテンツの内容に応じてライセンス管理方法を決定することができるようにしたサ
ーバー型コンテンツ提供システム、サーバー型コンテンツ提供システムのライセンス管理
方法及びコンテンツ利用装置を提供することを目的とする。
【課題を解決するための手段】
【００１４】
本発明のサーバー型コンテンツ提供システムは、サーバーに蓄積されたコンテンツを、
ライセンスを付してユーザに提供し、ユーザが前記コンテンツを利用機器の記録媒体に記
録すると共に、取得したライセンスに基づいて前記記録したコンテンツを利用するサーバ
ー型コンテンツ提供システムにおいて、前記ライセンスが、当該ライセンスを利用機器の
前記記録媒体に記録させるか、可搬型記憶媒体に記憶させるかあるいは利用機器には記録
させないかの利用条件を示す情報を含むことを特徴とする。
【００１５】
本発明のサーバー型コンテンツ提供システムのライセンス管理方法は、サーバーに蓄積
されたコンテンツを、ライセンスを付してユーザに提供し、ユーザが前記コンテンツを利
用機器の記録媒体に記録すると共に、取得したライセンスに基づいて前記記録したコンテ
ンツを利用するサーバー型コンテンツ提供システムのライセンス管理方法において、前記
ライセンスが、当該ライセンスを利用機器の前記記録媒体に記録させるか、可搬型記憶媒
体に記憶させるかあるいは利用機器には記録させないかの利用条件を示す情報を含み、当
該情報に基づいて利用機器におけるライセンスを管理することを特徴とする。
【００１６】
本発明のコンテンツ利用装置は、サーバーに蓄積されたコンテンツを、ライセンスを付
して提供を受け、当該コンテンツを記録媒体に記録すると共に、前記取得したライセンス
に基づいて前記記録したコンテンツを利用するコンテンツ利用装置において、可搬型記憶
媒体と、前記取得したライセンスを解析して、前記取得したライセンスを前記記録媒体に
記録させ、記録した当該ライセンスに基づいて前記コンテンツを利用する第１の利用形態
か、前記取得したライセンスを前記可搬型記憶媒体に記憶させ、記憶した当該ライセンス
に基づいて前記コンテンツを利用する第２の利用形態か、または前記ライセンスを前記コ
ンテンツの利用の都度前記サーバーから入手する第３の利用形態のいずれか１つを実行さ
せる制御手段と、を具備したことを特徴とする。
【発明の効果】
【００１７】
本発明によれば、コンテンツの内容に応じて、最も適したライセンス管理方法をコンテ
ンツ提供事業者が選択することができるので、ユーザの使い勝手も考慮に入れたサーバー
型放送サービスにおけるライセンス管理方法及び受信機を提供することができるものであ
る。
【発明を実施するための最良の形態】
【００１８】
以下、図面を参照して、この発明のライセンス管理方法及び受信機を詳細に説明する。
図１は、本発明のサーバー型放送サービスを受ける受信機と、コンテンツを提供するサー
バーとを、本発明を実現するために必要な構成を主体に示す回路ブロック図であり、まず
その構成及び受信機としての基本的動作について説明する。
【００１９】
図１において、受信機１００は外部サーバーにアクセスするためのモデム１０１を備え
る。モデム１０１はネットワーク１０２を介してサーバー１０３に接続され、サーバー１
０３に対して、コンテンツのダウンロード要求及びライセンスの発行要求を行い、このサ
ーバー１０３から、暗号化されたコンテンツデータとコンテンツの復号鍵を含むライセン
スデータを取得する。コンテンツデータは、例えばＭＰＥＧ（Moving Picture Experts G
roup）２規格に基づいて多重化されており、番組そのものを構成する映像、音声などのデ
ータの他、メタデータとしてのＳＩ（Service Information）及びＰＳＩ（Program Speci
fic Information）を含む。
【００２０】
さらに受信機１００は、ＨＤＤ（Hard Disk Drive）１０４を備え、モデム１０１を介
して入手したコンテンツデータ及びライセンスデータ、あるいはコンテンツデータのみを
蓄積し、かつ蓄積したそれらデータを再生する。
【００２１】
さらに受信機１００は、モデム１０１の出力とＨＤＤ１０４の再生出力を切換える切換
部１０５を備え、この切換部１０５で切換えられたデータは分離部１０６へ供給される。
【００２２】
分離部１０６は、多重化されたＭＰＥＧ２のデータから番組コンテンツデータとＳＩ，
ＰＳＩとライセンスデータとを分離するいわゆるデマルチプレクス処理を行う機能を有す
る。
【００２３】
分離部１０６で分離されたコンテンツデータは、デスクランブラ１０７でセキュリティ
モジュール１０８から供給されるデスクランブル鍵でデスクランブル処理されて暗号が復
号される。デスクランブラ１０７の出力はさらにＭＰＥＧデコーダ１０９に供給され、復
号化されて非圧縮のデジタル映像データに変換されてＯＳＤ（On Screen Display）処理
部１１０に供給される。
【００２４】
また、分離部１０６で分離されたＳＩ及びＰＳＩあるいはＳＩ、ＰＳＩのいずれかは、
ＥＰＧ（Electronic Program Guide）処理部１１１で解析されてＥＰＧの番組表として構
築され、ＯＳＤ処理部１１０に供給される。
【００２５】
さらに、分離部１０６で分離されたライセンスデータは、セキュリティモジュール１０
８に一旦保存され、その後、セキュリティモジュール１０８内に記憶されるか、あるいは
セキュリティモジュール１０８からＨＤＤ１０４に供給されて記録される。
【００２６】
セキュリティモジュール１０８は、ライセンスの内容を解析して、コンテンツの視聴の
可否を決定する。またライセンスの内容に基づいてライセンスデータの保存先を決定する
他、暗号を解除するための鍵をライセンスデータから抽出してデスクランブラに送出する
機能を有する。ライセンスデータの保存先がＨＤＤ１０４であった場合に、それをＨＤＤ
１０４に送る。さらにセキュリティモジュール１０８は、モデム１０１を介してサーバー
１０３と通信を行う機能を備えており、サーバー１０３やコンテンツ供給事業者がＵＲＬ
（Uniform Resource Locator）、ＩＰ（Internet Protocol）アドレスなどで指定する、
ネットワーク１０２に接続された図示しないサーバーへアクセスすることが可能である。
【００２７】
ＯＳＤ処理部１１０では、ＭＰＥＧデコーダ１０９の出力をそのまま映像信号処理部１
１２に導出するか、あるいは例えばＭＰＥＧデコーダ１０９の出力に対してＥＰＧ処理部
１１１の出力を重畳する処理を行い、重畳した信号を映像信号処理部１１２に導出する。
【００２８】
映像信号処理部１１２では、ＯＳＤ処理部１１０からのデジタル映像信号に対して表示
のための処理を施して表示部１１３に導出し、表示部１１３でその映像が表示される。
【００２９】
さらに受信機１００は、各種機能の設定、各回路部の制御を実行するためのシステム制
御部１１４を備えている。システム制御部１１４には、リモコン信号を受信するためのリ
モコン受光部１１５が接続されており、このリモコン受光部１１５で、リモートコントロ
ーラ１１６からのリモコン信号を受ける。
【００３０】
システム制御部１１４は、さらにＥＰＧ処理部１１１から、コンテンツ及びライセンス
を提供する事業者のＵＲＬ、ＩＰアドレス等を取得し、セキュリティモジュール１０８に
送出する機能を備える。
【００３１】
なお、モデム１０１は、場合によっては、受信機１００の外に配設することも可能であ
る。その場合には、受信機１００には例えばイーサネット（登録商標）端子が設けられ、
ＬＡＮ（Local Area Network）ケーブルでモデム１０１と接続される。
【００３２】
受信機１００は、以上のように構成されるが、実際にコンテンツの配信を受けるには、
例えば受信機側からサーバー１０３に対して配信要求を行い、それによってサーバー１０
３がその受信機のみにコンテンツの配信を行うような形態でサービスが提供される。これ
は、いわゆるＶＯＤ（Video On Demand）的な配信である。
【００３３】
あるいは、サーバー１０３から受信側を特定せずに、共通にストリーミング配信され（
共通配信）、ライセンスのみ受信側からの要求によってサーバー１０３から要求のあった
受信機にのみ配信される方式もある。さらに共通配信の場合には、放送信号でコンテンツ
がストリーミング配信（放送）されることもある。  
配信の詳細に関しては、本発明とは直接関係しないため説明を省略する。
【００３４】
次に、本発明の特徴部分につき、図１に基づいて説明する。  
モデム１０１から入力された暗号化されたコンテンツデータは、ＨＤＤ１０４に蓄積さ
れる他、リアルタイムで視聴する場合には、そのままデスクランブラ１０７に供給される
。さらに、セキュリティモジュール１０８でライセンスが解析されて、視聴可能と判断さ
れた場合に、デスクランブラ１０７でスクランブルが解除されて視聴されることになる。
【００３５】
また、モデム１０１から入力されたライセンスデータは、一旦セキュリティモジュール
１０８に保存され、ここで解析されて、本来の記憶先が決定される。すなわちライセンス
の内容によって、ライセンスデータがＨＤＤ１０４に供給されて記録されるか、あるいは
セキュリティモジュール１０８内に記憶されるかが決定される。なお詳細については後述
する。
【００３６】
分離部１０６からＥＰＧ処理部１１１へは、ＳＩ及びＰＳＩデータの両方、あるいはい
ずれか一方が入力される。ＥＰＧ処理部１１１は、ユーザがリモートコントローラ１１６
を操作してＥＰＧ番組表の表示要求を行うことで入力されたそれらデータに基づいて番組
表を構築し、これを表示部１１３で表示させるべく出力する。ユーザは、リモートコント
ローラ１１６を操作して、表示された番組表からサーバー１０３からＨＤＤ１０４にダウ
ンロードするコンテンツを選択し、蓄積予約（ダウンロード予約）することが可能となる
。
【００３７】
ＥＰＧでユーザに提供される情報は、例えば図２に示す項目の全部あるいは一部である
。  
すなわち、まず番組名、コンテンツ名を示す情報が含まれ、さらに配信事業者名、配信
サーバーのＵＲＬ、ＩＰアドレス（ユーザから見えなくても可）情報が含まれる。
【００３８】
さらに、有料か無料かを示す情報が含まれ、有料の場合には利用条件として、料金とパ
ッケージ販売の有無を示す情報及び録画権の有無を示す情報が含まれ、パッケージ販売有
の場合にはその条件（パッケージされるコンテンツ情報等）を示す情報が、また録画権有
の場合にはその条件（料金等）を示す情報がそれぞれ含まれる。
【００３９】
さらに、ダウンロード開始日時と視聴開始日時（視聴制限）もしくは視聴期間（視聴開
始を基点とした時間）を示す情報が含まれる。
【００４０】
ＥＰＧ番組表の例を図３に示す。図３では、横軸に配信事業者、コンテンツタイトル、
番組ステータス、ダウンロードステータス、視聴制限ステータスの各情報が表示され、縦
軸は配信事業者で特定されている。
【００４１】
ダウンロードステータスで明白なように、「＊＊放送」から配信される「番組１」と「
＊＊ＴＶ」で配信された「番組３」はダウンロード済であり、「＊＊ＴＶ」の「番組２」
と「ＣＳ＊＊」の「番組３」は、ダウンロードが実行されていない、ダウンロード可能コ
ンテンツである。
【００４２】
ユーザは、リモートコントローラ１１６を操作して、「ＣＳ＊＊」の「番組３」にハイ
ライトを移動して、決定キー等を操作することで、そのダウンロード予約を行う。
【００４３】
また、「＊＊ＴＶ」の「番組３」は、有料コンテンツであると同時に、「番組２」との
パッケージ売りコンテンツであり、この「番組３」を購入する場合には、ユーザは、手続
き上、パッケージ売りである条件を了承するのか否かの判断をするように要求され、了承
する意思表示を行った場合に、ライセンスを取得する処理が実行されるものである。
【００４４】
すなわち、リモートコントローラ１１６を操作して、「＊＊ＴＶ」の「番組３」を購入
すべく選択した場合、システム制御部１１４は、購入申し込み画面が表示されるようにＯ
ＳＤ処理部１１０を制御する。購入申し込み画面は、図３に示す、「＊＊ＴＶ」の「番組
３」「番組２」の各ステータスをそのまま表示すると共に、コメント表示を付加し、ユー
ザに購入するか、否かを選択させるような内容の画面で構成される。購入申し込み画面の
例を図４に示す。
【００４５】
図４において、ユーザがリモートコントローラ１１６を操作して「購入する」を選択し
た場合、システム制御部１１４は、ＥＰＧ処理部１１１からコンテンツ提供業者のライセ
ンスサーバー１０３のＵＲＬを取得し、これをセキュリティモジュール１０８に導出する
。セキュリティモジュール１０８は、ＨＤＤ１０４に蓄積されているコンテンツ（「番組
３」）を視聴可能とするため、モデム１０１を介してサーバー１０３にアクセスし、ライ
センスの申し込みを行ってサーバー１０３からライセンスを取得する。この場合、改めて
ユーザの購入意思を確認するためのトランザクションを介在するようにしてもよいが、図
４の画面で既にユーザが了承していることから、確認処理は自動的になされるようにする
こともできる。
【００４６】
入手したライセンスデータは、セキュリティモジュール１０８に一旦保存され、内容が
解析され、ＨＤＤ１０４に既に蓄積された「番組３」を再生する際に、セキュリティモジ
ュール１０８がライセンスデータからデスクランブル鍵を取得してこれをデスクランブラ
１０７に供給して視聴するコンテンツのスクランブルを解除する。
【００４７】
なお、ライセンスには、「＊＊ＴＶの番組３」の他「番組３」と、パッケージ化された
「番組２」も視聴可能であることを示す情報の他、視聴期限等今後の視聴制御に必要な情
報が含まれている。
【００４８】
以上説明した、ライセンス購入申し込み処理のうち、ライセンスサーバー１０３へ接続
する処理、ライセンスサーバー１０３からライセンスを取得する処理及び取得したライセ
ンスデータから、デスクランブル鍵を取り出してデスクランブラ１０７に供給する処理は
、セキュリティモジュール１０８が主体となって行うものであり、不正な視聴を防止する
という目的のため、取得したライセンスを改ざんしたり不正に処理したりすることが不可
能な、例えばＩＣカードで構成することが望ましい。
【００４９】
このように、受信機１００の全体の制御は、システム制御部１１４によって行われるが
、視聴可否判定やデスクランブル鍵の抽出等、コンテンツ提供業者の権利を守るべき処理
は、セキュリティモジュール１０８が主体になって処理するものである。
【００５０】
以上の説明では、ライセンスはライセンスサーバー１０３へ接続して取得するものとし
たが、当該ライセンスが1回のみ視聴可というライセンスではなく、例えば図３に示した
ように所定の視聴期限まで視聴可であるという、言い換えればレンタルビデオ型のライセ
ンスであった場合には、取得したライセンスの管理方法として複数の方法が考えられる。
次にこれを説明する。
【００５１】
図５はライセンスをコンテンツとともにＨＤＤ１０４に蓄積しておく例を示している。
この場合、セキュリティモジュール１０８は、初回の視聴時にライセンスサーバー１０３
からライセンスを取り込み、これを解析する。
【００５２】
ライセンスが視聴期限まで何回も視聴できるライセンスであり、かつＨＤＤ１０４に蓄
積を指定されたライセンスであるため、セキュリティモジュール１０８は、取得したライ
センスデータをＨＤＤ１０４に蓄積する。この際、ＨＤＤ１０４に蓄積したライセンスを
他の機器で不正利用されないように、セキュリティモジュール１０８は、モジュール内で
安全に管理でき、モジュールごとに異なる暗号鍵を使用してライセンスデータを暗号化す
る。もしくはライセンスサーバー１０３のライセンスデータが暗号化された状態にあるな
ら、ライセンスセキュリティモジュール１０８はライセンスサーバー１０３から取得した
ライセンスデータをその暗号状態のままＨＤＤ１０４に蓄積する。
【００５３】
この図５のようにライセンスを管理することにより、ライセンスデータがコンテンツと
共にＨＤＤ１０４に蓄積されるため、２回目以降のコンテンツの利用時にライセンスデー
タをコンテンツと併せてＨＤＤ１０４から読み出すことが可能であり、ライセンスとコン
テンツの泣き別れすることがない。それによって、ライセンスデータの存在場所を意識す
ることなく、コンテンツの視聴を確実に行うことができるものである。
【００５４】
すなわち、後述するライセンスをセキュリティモジュール１０８で管理する場合を想定
すると、仮にセキュリティモジュール１０８がＩＣカードのような可搬性のあるモジュー
ルであった場合、これを他の受信機等へ移動してしまった場合にはライセンスも移動して
しまい、受信機１００のＨＤＤ１０４にはコンテンツのみが残されることが想定されるが
、このような事態に陥ることがなくなるものである。
【００５５】
また、さらにＨＤＤ１０４として大容量のものを適用することができるため、ライセン
スデータを記録する上で記憶容量を厳密に監視する必要がないという利点が挙げられる。
すなわち、通常考えられる視聴状態では、週に数十から多くても数百ライセンス程度であ
ると想定でき、１ライセンスあたりの情報量を数十キロバイトと仮定しても、数百ギガバ
イトクラスのＨＤＤ１０４であるなら、容量を意識することなく使うことができるもので
ある。
【００５６】
図６はライセンスをセキュリティモジュール１０８に記憶しておく例である。この場合
、セキュリティモジュール１０８は、初回の視聴時にライセンスサーバー１０３からライ
センスデータを取り込んで、それを解析し、ライセンスが所定の視聴期限まで視聴を許容
するものであり、かつセキュリティモジュール１０８に蓄積を指定されたライセンスであ
るため、ライセンスデータをセキュリティモジュール１０８に記憶しておくものである。
【００５７】
この図６のようにライセンスを管理することにより、セキュリティモジュール１０８が
ＩＣカードのような可搬性のあるモジュールであった場合、ライセンスを他のテレビジョ
ン受像機等へ移動して利用することが可能であり、例えばリビングルームで途中まで視聴
したコンテンツの残りを、同様にコンテンツがダウンロードされているベットルームのテ
レビジョン受像機で視聴できるということが利点として挙げられる。また、セキュリティ
モジュール１０８は受信機１００において最も安全な記憶場所であり、ライセンスを安全
に保管できる。
【００５８】
図７はライセンスデータを受信機１００内に記憶、蓄積しない例である。この場合、セ
キュリティモジュール１０８は、初回の視聴時にライセンスサーバー１０３からライセン
スデータを取得し、それを解析する。ライセンスの内容が視聴期限までの視聴を許容する
ものであるが、１度視聴が終わったらライセンスデータを破棄し、視聴期限内で再度視聴
を行う場合には、ライセンスサーバー１０３から再度ライセンスデータを取り込む処理を
行う。
【００５９】
この図７のようにライセンスを管理することにより、ライセンスデータを受信機１００
内に記憶、蓄積せず、視聴の都度ライセンスサーバー１０３へ問い合わせにいくことから
、ライセンスサーバー１０３がライセンスの管理を厳密に行うことが可能である。
【００６０】
本発明は、以上のライセンス管理方法３種類をコンテンツ提供側が指定可能にすること
を要旨とするものであり、コンテンツ提供側がライセンス管理を最も厳正に実行したい場
合には、図７に示す方法を選択し、中程度の厳正さでライセンス管理を行いたい場合には
、図６に示す方法を選択し、さほど厳正さを要求されない場合には図５に示す方法を選択
するように構成されている。
【００６１】
一方で図７に示す方法では、ライセンスサーバー１０３にかかる負荷が一番重くなるこ
とから、負荷を軽くしたい場合には図５もしくは図６に示す方法を選択すればよい。
【００６２】
あるいは、ライセンスとコンテンツの泣き別れが無いように、またダウンロードしたラ
イセンスとコンテンツがその機器でのみ利用されるようにコンテンツ提供側が意図するの
であれば、図５に示す方法を選択すればよい。
【００６３】
以上のように、コンテンツ提供側の意図により、図５から図７に示す方法でライセンス
とコンテンツの提供を切換えられるように、ライセンスの内容として、ライセンスデータ
の記憶（蓄積）方法を図５から図７に示す方法で指定するものものである。
【００６４】
さらに、コンテンツ提供者は、ライセンスの具体的な管理方法として、例えば図８に示
す２とおりの内から選択することができるように構成される。すなわち、方法１としては
、図５から図７に示す管理方法のうち、いずれか１つの方法を指定する。また、方法２と
しては、図５〜図７に示す管理方法のうち、２つ以上を指定するものとする。例えば図５
に示す方法と、図６に示す方法の両方を指定した場合には、ライセンスデータをＨＤＤ１
０４に蓄積してもよいし、あるいはセキュリティモジュール１０８に記憶させてもよいと
いうことになる。
【００６５】
以上説明した処理内容を図９のフローチャートを用いて再度詳細に説明する。なお、図
９のフローチャートは、図８に示す方法１を指定した場合を説明するフローである。
【００６６】
図９において、ステップＳ９０１にてユーザから、ダウンロード済みのコンテンツの視
聴要求があるか否か確認を行い、要求が無い場合にはループ状に要求待ちとなる。要求が
あった場合にはステップＳ９０２へ進む。
【００６７】
ステップＳ９０２ではダウンロード済みのコンテンツの一覧表示を行い、各コンテンツ
の視聴条件を提示する。視聴条件とは例えば図２に示す項目の全部あるいは一部であり、
その情報は、ＥＰＧでユーザに提供される情報であり、ユーザがリモートコントローラ１
１６を操作することで、システム制御部１１４を介して読み出されＯＳＤ処理部１１０、
映像信号処理部１１２を経て表示部１１３で表示される。
【００６８】
次に、Ｓ９０３では、表示されたコンテンツの中に、ユーザが視聴要求の意思を示した
コンテンツがあるか否かの確認を行い、要求が無い場合には処理終了となる。要求があっ
たと確認された場合にはステップＳ９０４へ進む。
【００６９】
ステップＳ９０４では、セキュリティモジュール１０８をライセンスサーバー１０３に
接続し、ユーザから視聴要求のあったコンテンツのライセンスを取得しにいく。なおライ
センスサーバー１０３への接続に際し、セキュリティーを確保するため、ライセンスサー
バー１０３とセキュリティモジュール１０８との間で認証処理を行う場合もある。その場
合にはセキュリティモジュール１０８とライセンスサーバー１０３との間の通信を、シス
テム制御部１１４が中継するように動作するものである。
【００７０】
続くステップＳ９０５ではセキュリティモジュール１０８が、取得したライセンスデー
タを解析して、ライセンス情報として含まれているライセンスの管理方法の確認を行う。
確認の結果、ライセンス管理方法が図８に示す方法１であった場合には、さらに図５〜７
に示す方法の何れが指定されているかを確認して次のステップへ進む。なお、ライセンス
の管理方法が図８に示す方法２であった場合には、図５〜図７に示す方法のうちいずれを
指定するか、ユーザの意思を確認の上、設定する処理がさらに必要である。
【００７１】
ステップＳ９０６では、指定されたライセンスの管理方法が図５に示すものであると確
認された結果、ライセンスをＨＤＤ１０４に蓄積する。また、ステップＳ９０７では、指
定されたライセンスの管理方法が図６に示すものであると確認された結果、ライセンスを
セキュリティモジュール１０８に記憶する。
【００７２】
さらにステップＳ９０８では、指定されたライセンスの管理方法が、受信機１００内部
には蓄積あるいは記憶しないものと確認された結果、コンテンツを視聴する都度ライセン
スをサーバー１０３から取得する。
【００７３】
このように、取得したライセンスデータを蓄積、記憶すると共に、ユーザが当該コンテ
ンツを視聴できるように制御する。あるいは、蓄積、記憶せずに、都度ライセンスを取得
してコンテンツを視聴するように制御するものである。
【００７４】
以上のように本発明によれば、コンテンツを提供する事業者側で、ライセンスの管理方
法を設定することができるので、コンテンツの内容に基づいて要求されるライセンス管理
の厳正度に則して適切なライセンス管理を実行することができるものである。
【００７５】
なお、本発明は以上説明した実施の形態に限定されるものではなく、趣旨を逸脱しない
範囲で種々実施可能である。
【図面の簡単な説明】
【００７６】
【図１】本発明に係るサーバー型コンテンツ提供システムのサービスを受ける受信機の位置実施の形態を示す回路ブロック図。
【図２】本発明に係るサーバー型コンテンツ提供システムで提供されるＥＰＧデータに含まれる情報の一例を示す図。
【図３】図１に示す受信装置で表示されるＥＰＧの一例を示す図。
【図４】図１に示す受信装置で、ユーザがコンテンツの購入をする際の画面表示の一例を示す図。
【図５】本発明に係るサーバー型コンテンツ提供システムのライセンス管理方法の一例を説明するための図。
【図６】本発明に係るサーバー型コンテンツ提供システムのライセンス管理方法の他の例を説明するための図。
【図７】本発明に係るサーバー型コンテンツ提供システムのライセンス管理方法のさらに他の例を説明するための図。
【図８】本発明に係るサーバー型コンテンツ提供システムのライセンス管理方法を説明するための図。
【図９】本発明に係るサーバー型コンテンツ提供システムのライセンス管理方法の処理手順を説明するためのフローチャート。
【符号の説明】
【００７７】
１００…受信機
１０１…モデム
１０２…ネットワーク
１０３…サーバー
１０４…ＨＤＤ
１０５…切換部
１０６…分離部
１０７…デスクランブラ
１０８…セキュリティモジュール
１０９…ＭＰＥＧデコーダ
１１０…ＯＳＤ処理部
１１１…ＥＰＧ処理部
１１２…映像信号処理部
１１３…表示部
１１４…システム制御部
１１５…リモコン受光部
１１６…リモートコントローラ
【図１】
2006072504.tif 000003
【図２】
2006072504.tif 000004
【図３】
2006072504.tif 000005
【図４】
2006072504.tif 000006
【図５】
2006072504.tif 000007
【図６】
2006072504.tif 000008
【図７】
2006072504.tif 000009
【図８】
2006072504.tif 000010
【図９】
2006072504.tif 000011